(57)【要約】【課題】取り付けや取り外しを簡単な工程で行い得る中継用ドレンキャップを提供する。【解決手段】パイプ２の下端と、パイプ２の下方に位置する排水口３との中継部に設置される中継用ドレンキャップに関し、複数の分割体１１により構成される本体部１２を備え、分割体１１をパイプ２の周囲に配置して分割体１１同士を組み合わせることで、本体部１２をパイプ２を取り巻くように設置し得るよう構成する。特に好適には、本体部１２は２個の前記分割体１１により構成される。【選択図】図１
2019120117.tif 000002
【特許請求の範囲】
【請求項１】
パイプの下端と、前記パイプの下方に位置する排水口との中継部に設置される中継用ドレンキャップであって、
複数の分割体により構成される本体部を備え、
前記分割体を前記パイプの周囲に配置して前記分割体同士を組み合わせることで、前記本体部を前記パイプを取り巻くように設置し得るよう構成されていること
を特徴とする中継用ドレンキャップ。
【請求項２】
前記本体部は、２個の前記分割体により構成されること
を特徴とする請求項１に記載の中継用ドレンキャップ。
【請求項３】
前記分割体は、該分割体同士を係合する係合部を備えると共に、前記分割体により構成された前記本体部を前記パイプに対して支持する支持部を備えていること
を特徴とする請求項１又は２に記載の中継用ドレンキャップ。
【請求項４】
前記支持部は、前記分割体の側面から内側へ伸びる弾性体と、該弾性体の先端に配置されて前記パイプの外周面に当接する当接部材とを備えて構成されること
を特徴とする請求項３に記載の中継用ドレンキャップ。
【請求項５】
前記本体部は、内側に下に向かって縮径する筒状の導水板を備え、該導水板は、複数の分割導水板に分割され、
該分割導水板は、前記分割体同士を組み合わせることで前記導水板をなすよう、前記分割体のうち少なくとも２個に取り付けられること
を特徴とする請求項１〜４のいずれか一項に記載の中継用ドレンキャップ。
【請求項６】
前記係合部は、互いに組み合わされる各分割体の対向端部の一方に設けられて該対向端部の側面から外側へ突出する係合突起と、前記対向端部の他方に設けられて前記係合突起を内側から外側へ挿通せしめる穴部と、該穴部を通して外側へ突き出した前記係合突起の先端側に嵌着して該係合突起の内側への抜脱を阻止するクリップとを備えて構成されること
を特徴とする請求項３〜５のいずれか一項に記載の中継用ドレンキャップ。
【請求項７】
前記係合部は、互いに組み合わされる各分割体の対向端部の一方に設けられて該対向端部の側面から外側へ張り出す縦長で回転自在な留め具と、前記対向端部の他方に設けられて前記留め具を縦向きにした状態で内側から外側への挿通を許容し且つ前記留め具を横向きに回転した状態では内側への抜脱を阻止する穴部とを備えて構成されること
を特徴とする請求項３〜５のいずれか一項に記載の中継用ドレンキャップ。
【発明の詳細な説明】
【技術分野】
【０００１】
本発明は、雨樋等の排水管の中継に用いられるドレンキャップに関する。
【背景技術】
【０００２】
図１６、図１７は従来のドレンキャップの一例を示している。ここに示したドレンキャップ１は、ストレーナキャップ等と称されるもので、雨樋等の排水管であるパイプ２と、該パイプ２の下方に開口する排水口３との中継部に設置される中継用の部材である。排水口３は、例えばバルコニーやベランダの床である床面４に開口しており、排水口３の下方の排水路３ａは、別のパイプや排水溝等に繋がっている。パイプ２は、下端２ａが排水口３よりやや上方に位置しており、排水口３の設置された床面４からの排水をパイプ２の下端２ａと排水口３との隙間から排水口３へ流し込めるようになっていると同時に、パイプ２が熱膨張により排水口３や床面４に干渉することを防止するようになっている。
【０００３】
ドレンキャップ１は、略円筒形をなす本体部５と、該本体部５を排水口３に対して固定するための固定部６を備えている。略円筒形の本体部５は、内径がパイプ２の下端２ａの外径と一致するかやや大きく、全体がパイプ２の下端２ａを取り巻くようにして設置される。本体部５の下面には、径方向外側に水平方向に沿った面をなして張り出す脚部７と、本体部５の下面の縁部を径方向に橋渡しするように形成された取付部８を備えている。固定部６は、例えば平面視で十字型の弾性体（十字ばね）であり、二本の板ばねを十字状に交差させ、その交差点が取付部８にボルト等の固定具により固定される。本体部５の下面で全体として平面視で円形をなす脚部７は、外径が排水口３の径より大きく設定されている。
【０００４】
ドレンキャップ１を中継部に取り付ける際には、十字ばねである固定部６の端部を下方向に撓ませながら排水口３に上方から挿し込んだ後、固定部６を解放する。こうすることで、元の形状に戻ろうとする固定部６自身の弾性力によって固定部６が排水口３の内面に押し付けられ、これによりドレンキャップ１が排水口３に固定される。
【０００５】
パイプ２は、下端２ａがドレンキャップ１の本体部５により取り巻かれるように配置されるので、パイプ２内を下向きに流れてきた排水は、排水口３へスムーズに流れ込むことになる。また、本体部５の側面５ａには周方向全体にわたって穴５ｂや隙間５ｃが設けられており、パイプ２からの排水に加え、床面４を流れる排水もこの穴５ｂや隙間５ｃを通って排水口３へ流れ込むようになっている。一方、パイプ２や排水路３ａの閉塞に繋がるような落ち葉やビニール袋等の大きい異物がパイプ２と排水口３の隙間から侵入してしまうことは防がれる。
【０００６】
さらに、ここに示した例では、本体部５の内側に水はねを防止するための導水板９を備えている。導水板９は、径が一端側に向かって窄まる略円錐面状のテーパ部分を有する円筒状の部材であり、図１６、図１７に示す如く、一端側の前記テーパ部分を下に向け、パイプ２の下端２ａ付近から下へ向かうに従い縮径するように設置される。導水板９の上端部は本体部５の内側の上端部に取り付けられてパイプ２の下端２ａを取り巻き、そこから下方の排水口３に向けて径が小さくなるように配置される。こうして、パイプ２の下端２ａから流れ出る排水を導水板９内部のテーパ面に沿って排水口３の中心付近に導くようにしている。排水口３は、図１７に示す如く入口より下方の排水路３ａと比較して入口の径が大きく設定され、入口と排水路３ａとの間に段部３ｂが形成されている場合があり、導水板９を設置しないと、パイプ２からの排水が段部３ｂに当たって跳ね返り、ドレンキャップ１の本体部５に開口した穴５ｂや隙間５ｃから周囲へ飛び散ることがある。導水板９は、パイプ２からの排水を排水口３の中心に向けて導くことで、排水が段部３ｂに衝突することを抑え、排水の飛散を低減するようになっている。
【０００７】
尚、この種の中継用ドレンキャップに関連する先行技術文献としては、例えば、下記の特許文献１等がある。
【先行技術文献】
【特許文献】
【０００８】
【特許文献１】特開２００８−０１９６３３号公報
【発明の概要】
【発明が解決しようとする課題】
【０００９】
ところで、上述の如きドレンキャップ１は、本体部５によりパイプ２を取り囲む構造であるため、取り付けや取り外しに手間がかかるという問題がある。つまり、例えば既設のドレンキャップ１を新品に交換するにあたっては、まずパイプ２を図示しない支持具から取り外してドレンキャップ１から上方へ抜き取り、次いでドレンキャップ１を排水口３から取り外して新しいドレンキャップ１を排水口３に取り付け、パイプ２の下端２ａを新しいドレンキャップ１の本体部５に挿し込んでパイプ２を図示しない支持具に固定する、といった手順が必要になる。ドレンキャップ１の他にパイプ２をも交換するのであれば、この手順が余分な負担になることはない。しかしながら、ドレンキャップ１のみを交換したい場合であっても、交換対象のドレンキャップ１だけでなく、交換の必要がないパイプ２までをも取り外す必要が生じ、ドレンキャップ１とパイプ２の両方を交換するのと同様の時間や手間がかかってしまう。
【００１０】
本発明は、斯かる実情に鑑み、取り付けや取り外しを簡単な工程で行い得る中継用ドレンキャップを提供しようとするものである。
【課題を解決するための手段】
【００１１】
本発明は、パイプの下端と、前記パイプの下方に位置する排水口との中継部に設置される中継用ドレンキャップであって、複数の分割体により構成される本体部を備え、前記分割体を前記パイプの周囲に配置して前記分割体同士を組み合わせることで、前記本体部を前記パイプを取り巻くように設置し得るよう構成されていることを特徴とする中継用ドレンキャップにかかるものである。
【００１２】
本発明の中継用ドレンキャップにおいて、前記本体部は、２個の前記分割体により構成されることが好ましい。
【００１３】
本発明の中継用ドレンキャップを実施するにあたり、前記分割体は、該分割体同士を係合する係合部を備えると共に、前記分割体により構成された前記本体部を前記パイプに対して支持する支持部を備えることができる。
【００１４】
本発明の中継用ドレンキャップをさらに具体的に実施するにあたり、前記支持部は、前記分割体の側面から内側へ伸びる弾性体と、該弾性体の先端に配置されて前記パイプの外周面に当接する当接部材とを備えて構成することができる。
【００１５】
本発明の中継用ドレンキャップにおいて、前記本体部は、内側に下に向かって縮径する筒状の導水板を備え、該導水板は、複数の分割導水板に分割され、該分割導水板は、前記分割体同士を組み合わせることで前記導水板をなすよう、前記分割体のうち少なくとも２個に取り付けられた構成とすることができる。
【００１６】
さらに、本発明の中継用ドレンキャップにおいて、前記係合部は、互いに組み合わされる各分割体の対向端部の一方に設けられて該対向端部の側面から外側へ突出する係合突起と、前記対向端部の他方に設けられて前記係合突起を内側から外側へ挿通せしめる穴部と、該穴部を通して外側へ突き出した前記係合突起の先端側に嵌着して該係合突起の内側への抜脱を阻止するクリップとを備えて構成することができる。
【００１７】
また、本発明の中継用ドレンキャップにおいて、前記係合部は、互いに組み合わされる各分割体の対向端部の一方に設けられて該対向端部の側面から外側へ張り出す縦長で回転自在な留め具と、前記対向端部の他方に設けられて前記留め具を縦向きにした状態で内側から外側への挿通を許容し且つ前記留め具を横向きに回転した状態では内側への抜脱を阻止する穴部とを備えて構成することもできる。
【発明の効果】
【００１８】
本発明の中継用ドレンキャップによれば、取り付けや取り外しを簡単な工程で行い得るという優れた効果を奏し得る。
【図面の簡単な説明】
【００１９】
【図１】本発明の実施による中継用ドレンキャップの形態の一例を示す斜視図である。
【図２】本発明の実施例の中継用ドレンキャップを構成する分割体の形態を示す分解斜視図である。
【図３】本発明の実施例の中継用ドレンキャップを取り付ける手順の一工程を示す平面図である。
【図４】本発明の実施例の中継用ドレンキャップを取り付ける手順の別の一工程を示す平面図である。
【図５】本発明の実施例の中継用ドレンキャップを取り付ける手順の別の一工程を示す平面図である。
【図６】本発明の実施例の中継用ドレンキャップを取り付ける手順の別の一工程を示す平面図である。
【図７】本発明の実施例の中継用ドレンキャップを取り付ける手順を一部を拡大して示す平断面図であり、（Ａ）、（Ｂ）、（Ｃ）、（Ｄ）はそれぞれ別の工程を示している。
【図８】本発明の実施例の中継用ドレンキャップを取り付ける手順を一部を拡大して示す正面図であり、（Ａ）、（Ｂ）、（Ｃ）、（Ｄ）はそれぞれ別の工程を示している。
【図９】本発明の別の実施例を示す分解斜視図である。
【図１０】図９の各分割体における対向端部の組み合わせ前の状態を示す分解斜視図である。
【図１１】図１０の各分割体の対向端部同士を組み合わせた状態を示す分解斜視図である。
【図１２】本発明のさらに別の実施例を示す分解斜視図である。
【図１３】図１２の回転自在な留め具の取り付け状態を示す分解斜視図である。
【図１４】図１２の各分割体における対向端部の組み合わせ前の状態を示す分解斜視図である。
【図１５】図１４の各分割体の対向端部同士を組み合わせた状態を示す分解斜視図である。
【図１６】従来の中継用ドレンキャップの形態の一例を示す斜視図である。
【図１７】従来の中継用ドレンキャップの形態の一例を示す正断面図である。
【発明を実施するための形態】
【００２０】
以下、本発明の実施の形態を添付図面を参照して説明する。
【００２１】
図１、図２は本発明の実施による中継用ドレンキャップの形態の一例を示しており、図中、図１６、図１７と同一の符号を付した部分は同一物を表している。尚、本実施例において、パイプ２や排水口３の配置等は図１６、図１７に説明した上記従来例と共通しているため、以下では必要に応じて図１６や図１７をも参照しながら説明することとする。
【００２２】
本実施例のドレンキャップ１０は、図２示す如き分割体１１を２個組み合わせ、図１に示す如き１個のドレンキャップ１０の本体部１２を構成している点に特徴がある。言い換えれば、上記従来例（図１６、図１７参照）の本体部５にあたる部分を縦に２個に分割した部品が、概ね本実施例における分割体１１に相当する。これに伴い、排水口３の周辺に対する支持構造も上記従来例とは異なっている。また、ドレンキャップ１０には、分割体１１同士を組み合わせるための構造等も備えている。
【００２３】
尚、以下では分割体１１同士の組み合わせ時におけるパイプ２の位置を基準とし、該パイプ２に関して「径方向」や「周方向」といった向きを定義することとする。
【００２４】
本実施例のドレンキャップ１０の本体部１２は、図１に示す如く略円筒状の形状をなし、中央にはパイプ２を通すための穴が形成される。該穴は、内径がパイプ２の下端２ａ（図１７参照）の外径と一致するかやや大きく、本体部１２を含むドレンキャップ１０の全体がパイプ２を取り巻くようにして、パイプ２と排水口３との中継部に設置される。
【００２５】
分割体１１は、図１、図２に示す如く略円筒形の本体部１２を縦に２分割した形状の部品であり、平面視で半円状をなす。分割体１１同士を組み合わせるに際して互いに対面する部分にあたる周方向の両端部には、組み合わせのための係合部１３が形成されている。各分割体１１において、係合部１３は一端側の凸部１３ａと、他端側の穴部１３ｂとにより構成されており、一対の分割体１１が、一方の穴部１３ｂに他方の凸部１３ａを、他方の穴部１３ｂに一方の凸部１３ａをそれぞれ係合する形で組み合わされ、一個の本体部１２を構成する。
【００２６】
尚、ここでは分割体１１を組み合わせて構成される本体部１２が略円筒状である場合を例示しているが、本体部１２の形状はこれに限定されず、例えば截頭円錐状や角柱状であっても良い。パイプ２を取り巻くように設置可能な形状である限りにおいて、本体部１２の形状は問わない。
【００２７】
凸部１３ａは、分割体１１の端部の側面１１ａに形成された突起であり、側面１１ａから外側に突出し、鉛直方向に沿って側面１１ａと直交する面をなす基部１３ｃと、該基部１３ｃの先端側（径方向外側）から、分割体１１同士の組み合わせ時における相手側の分割体１１とは反対側に向かって鉤状に折れ曲がるように形成され、側面１１ａと平行な面をなす先端部１３ｄとにより構成される。全体として、凸部１３ａは図７に示す如く平面視でＬ字型の断面形状をなす。
【００２８】
穴部１３ｂは、分割体１１の端部の側面１１ａに開口する穴であり、幅及び高さは凸部１３ａと同じか、凸部１３ａよりやや大きく設定されている。そして、後述するように、分割体１１同士の組み合わせ時における相手側の分割体１１の凸部１３ａと係合するようになっている。
【００２９】
分割体１１の側面１１ａには、穴部１３ｂの他に、周方向の全体にわたって穴１１ｂや隙間１１ｃが設けられており、パイプ２と排水口３との中継部への設置時（図１参照）において、床面４の排水が穴１１ｂや隙間１１ｃを通って排水口３へ流れ込む一方、大きい異物がパイプ２と排水口３の隙間から侵入してしまうことは防がれるようになっている。
【００３０】
分割体１１の側面１１ａにおける周方向中間部の上側の位置には、内側に分割体１１により構成される本体部１２全体をパイプ２に対して支持するための支持部１４が装備されている。支持部１４は、分割体１１の側面１１ａから内側へ伸び、径方向に沿って伸縮する弦巻ばね等である弾性体１４ａと、該弾性体１４ａの先端（すなわち、径方向内側の端部）に取り付けられた当接部材１４ｂとを備えている。当接部材１４ｂは、例えばゴムやプラスチック樹脂等、ある程度の可撓性を有する素材で構成され、本実施例では、周方向に沿って湾曲し、円筒面の一部をなすように形成されており、平面視で円弧状の断面形状をなすように設置される。弾性体１４ａの基端側は、ボルト等の固定具１５により側面１１ａの内側に固定される（より具体的には、弾性体１４ａの基端部を固定具１５により側面１１ａの内側に固定した後、弾性体１４ａの先端に当接部材１４ｂを取り付ければ良い）。支持部１４の径方向の長さは、分割体１１同士の組み合わせ時、内側に配置されたパイプ２の外周面に当接部材１４ｂが当接し、弾性体１４ａが推し縮められる程度に設定する。すなわち、支持部１４は、本体部１２の内径と、パイプ２の外径の差の２分の１より少し長い程度とする。
【００３１】
分割体１１の下面には、径方向外側に水平方向に沿った面をなして張り出す脚部１６を備えている。分割体１１同士の組み合わせ時において本体部１２の下面で全体として平面視で円形をなす脚部１６は、外径が排水口３の径より大きく設定されている。
【００３２】
また、本実施例のドレンキャップ１０は、本体部１２の内側に導水板１７を備えている。導水板１７は、分割体１１同士の組み合わせ時においては上記従来例（図１６、図１７参照）の導水板９と同様、径が一端側に向かって窄まる略円錐面状のテーパ部分を有する円筒状の部材であり、図１に示す如く、一端側の前記テーパ部分を下に向け、パイプ２の下端２ａ（図１７参照）付近から下へ向かうに従い縮径するように設置される。ただし、本実施例の場合、導水板１７は分割体１１に合わせて２個の分割導水板１７ａに分割されている。すなわち、各分割導水板１７ａは、図２に示す如くテーパ部分を有する円筒を縦に２分割した形状部材であり、径の大きい側を上側、径の小さい側を下側として分割体１１に取り付けられる。分割導水板１７ａの分割体１１への取り付けは、分割導水板１７ａの上端部の周方向中間部を、固定具１５により支持部１４と共に側面１１ａに固定することで行えば良い。こうして、一対の分割体１１を組み合わせることで、各分割体１１に設けた分割導水板１７ａが下に向かって窄まる円筒状の導水板１７をなすようになっている。そして、パイプ２の下端２ａ（図１７参照）から流れ出る排水が導水板１７内部のテーパ面に沿って排水口３の中心付近に導かれることで、排水が段部３ｂ（図１７参照）に衝突することが抑えられ、排水の飛散が低減される。
【００３３】
次に、上記した本実施例のドレンキャップ１０の取り付け手順を、図３〜図８を参照しながら説明する。図３〜図６は、一連の取り付け手順における各工程の平面図である。図７、図８はそれぞれ要部（組み合わせに係る一方の分割体１１の係合部１３（凸部１３ａ）の周辺と、他方の分割体１１の係合部１３（穴部１３ｂ）の周辺）を拡大した平断面図及び正面図であり、図７、図８の（Ａ）〜（Ｄ）はそれぞれ図３〜図６の状態に対応している。
【００３４】
ドレンキャップ１０の取り付けにあたっては、まず、図３及び図７（Ａ）、図８（Ａ）に示す如く、パイプ２の周囲に分割体１１を配置する。本実施例では、一対の分割体１１を、パイプ２を挟んで対峙するように配置する。次に、図４及び図７（Ｂ）、図８（Ｂ）に示す如く、一対の分割体１１によりパイプ２を挟むように、分割体１１同士を互いに押し付けていく。この過程で、支持部１４の先端の当接部材１４ｂはパイプ２の外周面に当接し、弾性体１４ａは押し縮められる。また、このとき、一方の分割体１１の穴部１３ｂが他方の分割体１１の凸部１３ａに対し径方向外側に位置し、且つ他方の分割体１１の穴部１３ｂが一方の分割体１１の凸部１３ａに対し径方向外側に位置するようにする。
【００３５】
ここから、図５及び図７（Ｃ）、図８（Ｃ）に示す如く、分割体１１同士を互いに径方向にずらす。ずらす向きは、一方の分割体１１の凸部１３ａが他方の分割体１１の穴部１３ｂに近づき、且つ他方の分割体１１の凸部１３ａが一方の分割体１１の穴部１３ｂに近づく向きである。上述の如く、穴部１３ｂの幅や高さは凸部１３ａの幅や高さと同じかやや大きく設定されているので、一対の分割体１１の端部に形成された凸部１３ａは、それぞれ相手の穴部１３ｂに嵌まり込む。
【００３６】
この状態から分割体１１を解放すると、弾性体１４ａの反発力により、分割体１１同士はパイプ２を挟んで互いに径方向に離間する向きに付勢される。その結果、図６及び図７（Ｄ）、図８（Ｄ）に示す如く、一方の穴部１３ｂが他方の凸部１３ａの基部１３ｃに対し周方向に押し付けられる形で、分割体１１の係合部１３同士が係合する。
【００３７】
こうして、ドレンキャップ１０の本体部１２がパイプ２と排水口３との中継部に取り付けられ、それと共に、分割導水板１７ａ同士が相対して下向きのテーパ部を有する導水板１７を形成し、図１に示す如きドレンキャップ１０として機能する。尚、導水板１７には、相対する分割導水板１７ａ同士の間に隙間ができることになるが、この隙間の幅は係合部１３における穴部１３ｂの幅と、凸部１３ａの基部１３ｃの幅（側面１１ａに沿った水平方向の寸法）の差程度であり、この程度の隙間であれば、排水を排水口３（図１及び図１６、図１７参照）の中央に導いて水はねを防ぐという導水板１７としての機能を果たす上で問題はない。
【００３８】
ドレンキャップ１０を取り外す場合には、上に説明したのとは逆の動作を行う。すなわち、図６及び図７（Ｄ）、図８（Ｄ）に示す状態から、まず分割体１１同士を互いに近づける方向に力を加え、支持部１４の弾性体１４ａを押し縮め、図５及び図７（Ｃ）、図８（Ｃ）に示す状態とする。次に、一方の分割体１１の凸部１３ａが他方の分割体１１の穴部１３ｂから遠ざかり、且つ他方の分割体１１の凸部１３ａが一方の分割体１１の穴部１３ｂから遠ざかる向きに、分割体１１同士を互いに水平にずらす。このとき、ドレンキャップ１０は図４及び図７（Ｂ）、図８（Ｂ）に示す状態である。すると、係合部１３同士の係合状態が解除されるので、図３及び図７（Ａ）、図８（Ａ）に示すようにドレンキャップ１０を取り外すことができる。
【００３９】
このように、本実施例のドレンキャップ１０は、一対の分割体１１が支持部１４の弾性体１４ａにより互いにパイプ２を挟んで離間する方向に付勢されると共に、支持部１４の端部同士は係合部１３によって互いに拘束し合い、これによって分割体１１により構成された本体部１２を含むドレンキャップ１０の全体が、パイプ２に対して位置決めされつつ支持されるようになっている。このような分割構造により、本実施例のドレンキャップ１０は、パイプ２の取り外しを経ることなく、パイプ２と排水口３との中継部に対する取り付け・取り外しを行うことができる。すなわち、上述したドレンキャップ１０の取り付けや取り外しの工程において、パイプ２の取り外しは不要である。また、ドレンキャップ１０の取り付けや取り外しに際しては、上述の如く支持部１４の弾性体１４ａを押し縮めつつ係合部１３同士を係合し、または係合を解除する動作を行うだけで良く、簡単な手順で済む。しかも、パイプ２と排水口３との中継部への取り付けに係る構造（係合部１３および支持部１４）も簡単で、ドレンキャップ１０の製造に係るコストも最小限に抑えられる。
【００４０】
尚、ドレンキャップの交換に際し、不要な古いドレンキャップを破壊してドレンキャップを取り付ける場合もあるが、この場合、新しいドレンキャップとして上記従来例（図１６、図１７参照）の如きドレンキャップ１を取り付けようとすれば、やはりパイプ２の取り外しが必要になる。交換後の新しい本実施例のドレンキャップ１０とすれば、そういった手間は不要である。
【００４１】
また、このようなドレンキャップ１０の分割構造において、本実施例では、係合部１３の一方を構成する凸部１３ａが先端の折れ曲がった鉤状に形成されていることで、分割体１１同士の拘束の安定性を向上している。すなわち、仮に凸部１３ａが分割体１１の側面１１ａに沿って折れ曲がった先端部１３ｄを備えず、基部１３ｃのみで構成されていた場合、係合部１３において分割体１１同士は互いに離間する径方向に付勢され、この方向には基部１３ｃと穴部１３ｂとの間の垂直抗力がある程度の拘束力として働く。一方、分割体１１同士が離間する向きと直交する径方向には大きな拘束力が生じず（生じるのは基部１３ｃと穴部１３ｂとの間の摩擦力程度である）、本体部１２に対し互いの凸部１３ａ同士を結ぶ径方向に力が加わった場合には、係合部１３の係合状態が容易に解除されてしまう虞がある。そこで、本実施例では凸部１３ａに先端部１３ｄを備えることにより、本体部１２に対し分割体１１同士が離間する向きと直交する方向に力が加わった場合にも係合状態が容易に解除されないようにしているのである。
【００４２】
尚、係合部１３の構成は、ここに示した例に限定されない。例えば、凸部１３ａは分割体１１の側面１１ａから内側に向かって突出するように形成しても良い。また、例えば凸部１３ａにおける鉤状の構造の向きを変更し、先端部１３ｄを上方又は下方に向かって折れ曲がるように形成しても良い。また、一方の分割体１１の側面１１ａに突出した鉤状の凸部１３ａと、他方の分割体１１の側面１１ａに開口した穴部１３ｂという組み合わせに限らず、例えば両者の係合部１３を鉤状の凸部同士として係合させることもできるし、あるいは穴部１３ｂの代わりに所定の形状の溝等を備えても良い。その他、分割体１１同士を好適に係合し得る限りにおいて、係合部１３としてはどのような構成を採用しても良い。
【００４３】
また、ここでは２個の分割体１１により１個のドレンキャップ１０の本体部１２を構成する場合を例示したが、「ドレンキャップの取り付けや取り外しに際し、パイプの取り外しを不要にする」という作用効果を奏するためには、１個のドレンキャップ１０の本体部１２を構成する分割体１１の数は２個には限定されず、複数であれば良い。ただし、製造や部品管理の点からは、最小の２個とするのが最も好適である。
【００４４】
同様に、一個の導水板１７を構成する分割導水板１７ａの数についても、２個に限定されるものではなく、３個以上の分割導水板１７ａを組み合わせて一個の導水板１７を形成するようにしても良い。尚、導水板１７を構成する分割導水板１７ａの数は、必ずしも本体部１２を構成する分割体１１の数に合わせる必要はなく、分割体１１のうち少なくとも２個に分割導水板１７ａが取り付けられていれば、分割体１１を組み合わせると同時に導水板１７を形成・設置することは可能である。すなわち、本体部１２を構成する分割体１１の数を３個以上とした場合であっても、例えば導水板１７を２個の分割導水板１７ａにより構成し、分割体１１のうちパイプ２を挟んで向かい合う２個にそれぞれ分割導水板１７ａを取り付けておけば、分割体１１の組み合わせにより本体部１２を形成するのに伴い、２個の分割導水板１７ａが組み合わされて一個の導水板１７が形成されることになる。
【００４５】
また、ここでは導水板１７がテーパ部を有する円筒状、すなわち導水板１７の断面形状が円形である場合を例示したが、導水板１７の形状はこれに限定されず、例えば多角形の断面形状を有する筒状の物体としても良い。パイプ２からの排水を排水口３の中央部へ導くという機能を果たす限りにおいて、導水板１７の形状は適宜変更し得る。
【００４６】
以上のように、上記本実施例のドレンキャップ１０は、パイプ２の下端２ａと、パイプ２の下方に位置する排水口３との中継部に設置される中継用ドレンキャップに関し、複数の分割体１１により構成される本体部１２を備え、分割体１１をパイプ２の周囲に配置して分割体１１同士を組み合わせることで、本体部１２をパイプ２を取り巻くように設置し得るよう構成されている。こうすることで、ドレンキャップ１０の取り付けや取り外しの工程において、パイプ２の取り外しを不要とすることができる。
【００４７】
また、本実施例のドレンキャップ１０において、本体部１２は、２個の前記分割体１１により構成されているので、製造や部品管理の点で好適である。
【００４８】
さらに、本実施例のドレンキャップ１０において、分割体１１は、該分割体１１同士を係合する係合部１３を備えると共に、分割体１１により構成された本体部１２をパイプ２に対して支持する支持部１４を備えているので、ドレンキャップ１０全体をパイプ２に支持することで中継部に取り付けることができる。
【００４９】
また、本実施例のドレンキャップ１０において、支持部１４は、分割体１１の側面１１ａから内側へ伸びる弾性体１４ａと、該弾性体１４ａの先端に配置されてパイプ２の外周面に当接する当接部材１４ｂとを備えて構成されているので、簡単な構成と手順により、ドレンキャップ１０をパイプ２の外周面に取り付けることができる。
【００５０】
さらに、本実施例のドレンキャップ１０において、本体部１２は、内側に下に向かって縮径する筒状の導水板１７を備え、該導水板１７は、複数の分割導水板１７ａに分割され、該分割導水板１７ａは、分割体１１同士を組み合わせることで導水板１７をなすよう、分割体１１のうち少なくとも２個に取り付けられているので、分割体１１同士を組み合わせてドレンキャップ１０を取り付けることにより、併せて導水板１７をも設置することができる。
【００５１】
したがって、上記本実施例の中継用ドレンキャップによれば、取り付けや取り外しを簡単な工程で行い得る。
【００５２】
図９〜図１１は本発明の別の実施例を示す分解斜視図であり、本実施例では、分割体１１同士を組み合わせるための対向端部（互いに対面する部分にあたる周方向の両端部）に、前述した係合部１３（図１〜図８参照）とは異なる形式の係合部１８を採用した場合を示しており、この係合部１８は、互いに組み合わされる各分割体１１の対向端部の一方に設けられて該対向端部の側面から外側へ突出する係合突起１８ａと、前記対向端部の他方に設けられて前記係合突起１８ａを内側から外側へ挿通せしめる穴部１８ｂと、該穴部１８ｂを通して外側へ突き出した前記係合突起１８ａの先端側に嵌着して該係合突起１８ａの内側への抜脱を阻止するクリップ１８ｃとを備えて構成されている。
【００５３】
前記係合突起１８ａは、その先端側に先細りの拡幅部を備え且つ該拡幅部の直後の幅を絞り込んだ矢尻状の断面形状を有しており、前記穴部１８ｂは、前記係合突起１８ａの外形よりやや大きく幅及び高さを設定されている。そして、特に図１０に拡大して示す通り、前記クリップ１８ｃは、コの字状に折り曲げられた金属シートからなり、その開口端側に向け徐々に幅を絞り込まれてから末広がりに開いて前記係合突起１８ａの先細りの拡幅部を円滑に迎え得るようになっている。
【００５４】
このようにした場合、各分割体１１における対向端部の一方に設けられた係合突起１８ａを、他方に設けられた穴部１８ｂに対し内側から外側へ挿通させ、該穴部１８ｂを通して外側へ突き出した前記係合突起１８ａの先端側にクリップ１８ｃを嵌着すると、前記係合突起１８ａの内側への抜脱が阻止されて各分割体１１が良好に組み合わされ（図１１参照）、また、前記クリップ１８ｃを取り外して前記係合突起１８ａを前記穴部１８ｂから抜き出すことで簡便に前記各分割体１１が切り離される（図１０参照）。
【００５５】
したがって、上記別の実施例の中継用ドレンキャップによっても、取り付けや取り外しを簡単な工程で行い得る。
【００５６】
また、図１２〜図１５は本発明のさらに別の実施例を示す分解斜視図であり、本実施例では、分割体１１同士を組み合わせるための対向端部（互いに対面する部分にあたる周方向の両端部）に、前述した係合部１３（図１〜図８参照）や係合部１８（図９〜図１１参照）とは異なる形式の係合部１９を採用した場合を示しており、この係合部１９は、互いに組み合わされる各分割体１１の対向端部の一方に設けられて該対向端部の側面から外側へ張り出す縦長で回転自在な留め具１９ａと、前記対向端部の他方に設けられて前記留め具１９ａを縦向きにした状態で内側から外側への挿通を許容し且つ前記留め具１９ａを横向きに回転した状態では内側への抜脱を阻止する穴部１９ｂとを備えて構成されている。
【００５７】
図１３に示す如く、前記留め具１９ａは、一方の対向端部の上部に形成された台座部２０に対しワッシャ２１とスペーサ２２とを前後に配してビス２３で締結され且つ該ビス２３を緩ませずに回転できるようになっている。
【００５８】
このようにした場合、各分割体１１における対向端部の一方に設けられた留め具１９ａを縦向きにした状態とし、他方に設けられた穴部１９ｂに対し前記留め具１９ａを内側から外側へ挿通させ、前記穴部１９ｂを通して外側へ張り出した前記留め具１９ａを横向きに回転した状態にすると、該留め具１９ａの内側への抜脱が阻止されて各分割体１１が良好に組み合わされ（図１５参照）、また、前記留め具１９ａを再び縦向きに回転した状態として該留め具１９ａを前記穴部１９ｂから抜き出すことで簡便に前記各分割体１１が切り離される（図１４参照）。
【００５９】
したがって、上記さらに別の実施例の中継用ドレンキャップによっても、取り付けや取り外しを簡単な工程で行い得る。
【００６０】
尚、本発明の中継用ドレンキャップは、上述の実施例にのみ限定されるものではなく、本発明の要旨を逸脱しない範囲内において種々変更を加え得ることは勿論である。
【符号の説明】
【００６１】
２    パイプ
２ａ  下端
３    排水口
１１    分割体
１２    本体部
１３    係合部
１４    支持部
１４ａ  弾性体
１４ｂ  当接部材
１７    導水板
１７ａ  分割導水板
１８    係合部
１８ａ  係合突起
１８ｂ  穴部
１８ｃ  クリップ
１９    係合部
１９ａ  留め具
１９ｂ  穴部
【図１】
2019120117.tif 000003
【図２】
2019120117.tif 000004
【図３】
2019120117.tif 000005
【図４】
2019120117.tif 000006
【図５】
2019120117.tif 000007
【図６】
2019120117.tif 000008
【図７】
2019120117.tif 000009
【図８】
2019120117.tif 000010
【図９】
2019120117.tif 000011
【図１０】
2019120117.tif 000012
【図１１】
2019120117.tif 000013
【図１２】
2019120117.tif 000014
【図１３】
2019120117.tif 000015
【図１４】
2019120117.tif 000016
【図１５】
2019120117.tif 000017
【図１６】
2019120117.tif 000018
【図１７】
2019120117.tif 000019